(57)【要約】  【課題】  従来のフリーアクセスフロアの一部に面状発熱体を備える床暖房付フリーアクセスフロアを任意に設置可能とすると共に、新たな配線のためのめくり工事を不要とし、設置した床暖房付フリーアクセスフロアの上を人が歩いたり、また、物を置いたりしても十分耐強度を備える床暖房付フリーアクセスフロアを提供することである。【解決手段】  断熱材２と、面状発熱体としてのＰＴＣ面状遠赤外線発熱体３と、絶縁シート４とを順に重ねると共に、これらを一体的に被覆する金属製保護ケーシング５とから構成される暖房部材１を備える床暖房付フリーアクセスフロアであって、前記断熱材２の一方の側部に配線用ダクト８を配設すると共に、前記金属製保護ケーシング５が前記配線用ダクト８をも一体的に被覆する構成とした。【選択図】    図１
2005082999.tif 000002
【特許請求の範囲】
【請求項１】
断熱材と、面状発熱体と、絶縁シートとを順に重ねると共に、これらを一体的に被覆する金属製保護ケーシングとから構成される暖房部材を備え、下方に向けて脚部を突設した支持台に前記暖房部材とタイルカーペットを順に敷設して構成する床暖房付フリーアクセスフロアであって、前記断熱材の一方の側部に前記面状発熱体へ通電するための配線用ダクトを配設すると共に、前記金属製保護ケーシングが前記配線用ダクトをも一体的に被覆する構成としたことを特徴とする床暖房付フリーアクセスフロア。
【請求項２】
前記面状発熱体から外方に突出して端子カバーを備えている端子部を、前記面状発熱体の下方に折り曲げると共に、前記断熱材の配線用ダクトが装着される側に切欠部を設け、該切欠部に前記端子部を収容する構成としたことを特徴とする請求項１に記載の床暖房付フリーアクセスフロア。
【請求項３】
前記配線用ダクトが上方に開口部を有する断面Ｕ字状の板金製あるいは樹脂製のダクトであって、前記端子部に対向する部分に配線用の切欠を備えていることを特徴とする請求項２に記載の床暖房付フリーアクセスフロア。
【発明の詳細な説明】
【技術分野】
【０００１】
本発明は、事務所等の床材として採用されているフリーアクセスフロアに係り、特に面状発熱体を備えていると共に、配線作業を容易とする床暖房付フリーアクセスフロアに関するものである。
【背景技術】
【０００２】
最近では、事務所等においては、ＯＡ機器への配線を床下に通すため、また机やＯＡ機器の配置位置に応じた配線変更を簡単に行うことができるように、配線用の床下空間を設けた二重床構造のフリーアクセスフロアが一般的に床材として採用されている。
【０００３】
一般に、部屋内の空調にはエアコン等により集中的な空調が行われている。そのために、室内の全てが均一な室温になっていることはなく、場所によってかなりの温度差が生じている。特に冬季には、温調による暖気が床面に行き渡らず、また、夏季には、冷気が床面に滞るために、快適さが損なわれている。
【０００４】
また、最近ではパソコン等のＯＡ機器が増えてきており、室内の温度も人に最適な温度とすることより、高価なＯＡ機器に適当な温度に設定する場合もある。特にパソコン等は使用時間が長くなると発熱量が増加するために、室内温度を割りと低く設定する場合が多い。
【０００５】
そのために、特に人がいる床上付近を部分的に暖房する要求がある等、室内の特定のフロアを部分的に暖房したい場合があり、特定の場所のフロアのみを床暖房付きフロアに変更したいことがある。またこの例として、面発熱体を付設した配線用二重床が公開されている。（例えば、特許文献１参照）
さらには、面状発熱体の端子部を上部に突出させることなく、床の基礎材内に収容して、ドリル孔を設けて配線用挿通孔とする工事が簡単なシート状回路装置の配線方法も既に公開されている。（例えば、特許文献２参照）
【特許文献１】特開平６−３４１６５５号公報（第１−３頁、第１図）
【特許文献２】特開２００２−２２１８９号公報（第１−４頁、第４図）
【発明の開示】
【発明が解決しようとする課題】
【０００６】
床上を部分的に暖房したい時には、ストーブ等の暖房機を設置すればよいが、床に余分な物を載置することになり、邪魔になったり美観を損ねる場合がある。
【０００７】
また、通常のフリーアクセスフロアの一部に床暖房装置を組み込む際に、出来るだけ配線工事を不要としたいという問題がある。
【０００８】
従来の床暖房装置の発熱体への配線方法では、一旦床暖房付フリーアクセスフロアを設置後に、フロアをめくって配線用の床下空間に電線を沿わせるように配設していく工事が必要である。
【０００９】
本発明の目的は、上記問題点を解消するために、従来のフリーアクセスフロアの一部に面状発熱体を備える床暖房付フリーアクセスフロアを任意に設置可能とすると共に、新たな配線のためのめくり工事を不要とし、設置した床暖房付フリーアクセスフロアの上を人が歩いたり、また、物を置いたりしても十分耐強度を備える床暖房付フリーアクセスフロアを提供することである。
【課題を解決するための手段】
【００１０】
上記の目的を達成するために請求項１に係る発明は、断熱材と、面状発熱体と、絶縁シートとを順に重ねると共に、これらを一体的に被覆する金属製保護ケーシングとから構成される暖房部材を備え、下方に向けて脚部を突設した支持台に前記暖房部材とタイルカーペットを順に敷設して構成する床暖房付フリーアクセスフロアであって、前記断熱材の一方の側部に前記面状発熱体へ通電するための配線用ダクトを配設すると共に、前記金属製保護ケーシングが前記配線用ダクトをも一体的に被覆する構成としたことを特徴としている。
【００１１】
上記の構成を有する請求項１に係る発明によれば、一旦床暖房付フリーアクセスフロアを設置した後で、ユニット毎に設けた配線用ダクトを介して配線可能であると共に、設置した床暖房付フリーアクセスフロアの上を人が歩いたり、また、物を置いたりしても十分耐強度を備える床暖房付フリーアクセスフロアとすることができる。
【００１２】
請求項２に係る発明は、前記面状発熱体から外方に突出して端子カバーを備えている端子部を、前記面状発熱体の下方に折り曲げると共に、前記断熱材の前記配線用ダクトが装着される側に切欠部を設け、該切欠部に前記端子部を収容する構成としたことを特徴としている。
【００１３】
上記の構成を有する請求項２に係る発明によれば、肥大した端子部を断熱材内に完全に収容することができ、暖房したい部分の床部分を床暖房付フリーアクセスフロアに変更する際にも、容易に交換可能であると共に見映え良く均一に床暖房することができる一体構成の床暖房付フリーアクセスフロアとすることができる。
【００１４】
請求項３に係る発明は、前記配線用ダクトが上方に開口部を有する断面Ｕ字状の板金製あるいは樹脂製のダクトであって、前記端子部に対向する部分に配線用の切欠を備えていることを特徴としている。
【００１５】
上記の構成を有する請求項３に係る発明によれば、端子部への配線を前記配線用ダクト部を介して容易に配線することができる。
【発明の効果】
【００１６】
上記したように本発明によれば、面状発熱体を備える暖房部材を、一体的にユニット構成すると共に、ユニット毎に配線用ダクトを備えた床暖房付フリーアクセスフロアとすることで、任意のフロア位置に設置可能であると共に、設置した後の配線工事をフロアをめくらずに行うことができ、施工工事が容易となる。さらに、人が歩いたり、物を載置することができる、耐強度のある床暖房付フリーアクセスフロアとすることができる。
【発明を実施するための最良の形態】
【００１７】
床暖房付フリーアクセスフロアを任意に設置可能とすると共に、新たな配線のためのめくり工事を不要とし、設置した床暖房付フリーアクセスフロアの上を人が歩いたり、また、物を置いたりしても十分耐強度を備える床暖房付フリーアクセスフロアを得るという目的を、断熱材と、面状発熱体と、絶縁シートとを順に重ねると共にこれらを一体的に被覆する金属製保護ケーシングとから構成される暖房部材とすると共に、前記断熱材の一方の側部に配線用ダクトを配設し、前記金属製保護ケーシングが前記配線用ダクトをも一体的に被覆する構成とすることで実現した。
【実施例】
【００１８】
以下、本発明に係る床暖房付フリーアクセスフロアの実施例について、図１から図５に基づいて説明する。
【００１９】
図１より本発明に係る床暖房付フリーアクセスフロアについて説明する。二重床構造として配線用空間を構成するための樹脂製支持台６の上に暖房部材１を載置して、その上にタイルカーペット７を敷設してフロアを形成する。
【００２０】
樹脂製支持台６の四方の側部にはそれぞれに、Ｕ溝状の切欠部６ｂが複数設けられていて、床上に設置するＯＡ機器や電気装置への配線用通路となっており、前記樹脂製支持台６の脚部６ａにより形成される床下の下部空間内にて配線することで容易に行うことができる。
【００２１】
ここで暖房部材１は、金属板の四方を折り曲げて箱状に形成した金属製保護ケーシング５内に、断熱材２と、面状発熱体として採用するＰＴＣ面状遠赤外線発熱体３と、絶縁シート４とが納められて一体的にユニット構成されたものである。
【００２２】
前記金属製保護ケーシング５は、後述するように、前記発熱体３の発生する熱を床面に均等に伝熱する均熱板であると共に、床面の強度を向上するための保護板であり、単に平面状の板材であってもよい。ただし、上記のように箱状とした内部に、断熱材２と、面状発熱体として採用するＰＴＣ面状遠赤外線発熱体３と、絶縁シート４とを一体的に収納した構成とすれば、構造的強度が向上すると共に、一体的にユニット化された暖房部材１として取り扱うことができ好適である。
【００２３】
前記ＰＴＣ面状遠赤外線発熱体３は、温度が上昇すると電気抵抗が増大する所謂正熱特性（ＰＴＣと称する）を有する自己温度制御型の発熱体である。もちろん他の薄型電熱ヒーター発熱体でも使用可能であるが、通常の薄型電熱ヒーター発熱体では発熱温度を調整するために、フィードバック制御装置が必要であり高価となる。そのために、複雑な制御なしで、発熱温度を自己調整することが可能なＰＴＣ面状遠赤外線発熱体３を、本発明に係る面状発熱体として採用することが好適である。
【００２４】
また、前記ＰＴＣ面状遠赤外線発熱体３の外方に突出している端子部３Ａを中間部から斜め下方に曲げて、断熱材２に設けられた切欠部２Ａに収容する構成とした。そのために、図中の一部拡大図に示すように、前記端子部３Ａに端子カバー３Ａａが装着されて肥大した分厚い形状となっても、下方に折り曲げられているので、前記ＰＴＣ面状遠赤外線発熱体３の上面側に出っ張ることもなく、前記切欠部２Ａ内に完全に収容することができる。さらに、前記端子部３Ａから延設しているリード線３Ｂを挿通させる配線ダクト８を前記断熱材２の一方の側部に配設している。
【００２５】
前記配線ダクト８は開口部を上側にした断面Ｕ字状の板金製あるいは樹脂製のダクトであって、前記リード線３Ｂを配線する通路となる。また、前記端子部３Ａと対向する部分には切欠８ａ（図２参照）を備えており、前記リード線３Ｂを断面Ｕ字状の内部に案内する構成としている。そのために、前記切欠８ａを矩形状としたが、リード線３Ｂが挿通可能な程度の大きさをした開口部であればよくその形状は特に限定されない。
【００２６】
前記配線ダクト８をユニット化された各暖房部材１の一方の側部にそれぞれ配設する構成としているので、隣り合う暖房部材１同士の配線ダクト８が連接するように、各暖房部材１を配置することで、一々床材をめくらずに、それぞれのリード線３Ｂを連結して電気的に接続することができる。
【００２７】
図２に示すように、リード線３Ｂを二股に分岐して、リード線３ＢＡには雄コネクタ３Ｂａを装着し、リード線３ＢＢには雌コネクタ３Ｂｂを装着しておく。そして、隣り合う暖房部材１のリード線３Ｂ同士を雄雌コネクタ接続により結線するように構成すれば、複数の暖房部材１を連続して通電可能に結合して、大面積の床暖房付フリーアクセスフロアを構成することができる。
【００２８】
断熱材２に設ける前記切欠部２Ａは、本実施例においては図２に示すように矩形状に設けているが、特にその形状を限定するものではなく、Ｕ溝状の切欠部でも断面半円状の切欠部であってもよい。ただ、下方に曲げた端子部３Ａおよび端子カバー３Ａａを共に収容する程度の大きさがあればよい。
【００２９】
断熱材２は、厚さが５〜２０ｍｍ程度の建材用プラスチック発泡材であって、一般的に床暖房用として使用されている市販の材料である。この断熱材２は前記発熱体３の熱を床下には逃がさずに、床上を効率よく暖房する効果を有する。
【００３０】
ＰＴＣ面状遠赤外線発熱体３は図２に示すように、導通性の電極箔を左右から櫛型に配設して、図中の右側電極箔３ａと左側電極箔３ｂを有しており、その間に半導体インクからなる発熱材３ｃを密封した薄いフィルム状シートである。また、その両面はフィルムにより絶縁された構造となっている。
【００３１】
絶縁シート４は、合成ゴム又はプラスチック製の厚みが１ｍｍ程（又はそれ以下）の電気絶縁性のシートであって、電気的安全性を完全にするために、前記ＰＴＣ面状遠赤外線発熱体３と金属製保護ケーシング５との間にはさみこんで使用する構成とした。
【００３２】
金属製保護ケーシング５は、四方を下向きに折り曲げて平らな上面を有する箱型ケーシングであって、暖房部材１が組み込まれた床暖房付フリーアクセスフロア上を人が歩いても、また、人が腰掛けたキャスター椅子が乗り上げても、さらにまた、物を置いたりしても、前記発熱体３が損傷しないように保護する部材であり、アルミ合金板あるいは鉄板製のケーシングである。
【００３３】
また、前記発熱体３の有効面積は前記発熱材３ｃが配設された部分であり、床暖房付フリーアクセスフロア全面積に対して小さいが、この金属製保護ケーシング５の伝熱効果により、暖房部材１の床面全面を均一な温度とすることができる。つまり、該金属製保護ケーシング５は、保護板であると共に均熱板でもある。そのために、該金属製保護ケーシング５の素材としては伝熱性のよいアルミ合金が好適である。
【００３４】
床暖房時に上記電極箔へ通電されると、櫛状の右側電極箔３ａと左側電極箔３ｂ間の発熱材３ｃが発熱するが、該発熱材３ｃは温度が上昇すると電気抵抗が増大する所謂正熱特性（ＰＴＣと称する）を有しており、温度の上昇と共に消費電力が減少し、所定温度以上には上昇しない自己温度制御型の特徴を有する。そのために、所定の設計温度以上に上昇することはなく、安全であると共に電気効率がよい。
【００３５】
前記暖房部材１の大きさは単独の樹脂製支持台６Ａと同じ大きさとしてもよいが、本実施例においては前記樹脂製支持台６Ａが一辺２５ｃｍ程度の大きさであるので、図１に示すように、２個の樹脂製支持台６Ａと６Ｂとを合わせた幅と長さを備える大きさとし、計４個の小さな樹脂製支持台に同時に敷設する、一辺の長さが５０ｃｍ程度の方形の大きさとした。
【００３６】
つまり、本実施例においては５０ｃｍ角のフリーアクセスフロア毎に床暖房装置を敷設可能な構成としたものである。
【００３７】
もちろん樹脂製支持台６単独の大きさは図３（ａ）に示す従来の樹脂製支持台１０と同じ大きさであり、ただ暖房部材１を装着して従来の樹脂製支持台１０と同じ高さとなるように、その高さを低くして成形したものである。図には従来のフリーアクセスフロアに床暖房付フリーアクセスフロアを組み込んだところを示しているが、図に示すように、樹脂製支持台６の高さＨ２と暖房部材１の高さＨ３との合計を、従来の樹脂製支持台１０の高さＨ１と同じ高さ寸法として、タイルカーペット７を共有して敷設可能な構成とした。そのために、タイルカーペット７を従来のフリーアクセスフロアと床暖房付フリーアクセスフロアとに架け渡すように敷設することが可能となり、床の一部を床暖房付フリーアクセスフロアに改装しても、床に少しの段差も生じず、違和感を感じることもない。
【００３８】
前記タイルカーペット７の大きさは、樹脂製支持台６や１０と同じ大きさでもよいし、また暖房部材１と同じ大きさでもよく、さらには、それ以上の大きさとして、複数の暖房部材１を覆う構成としてもよい。このように、特にその大きさを限定するものではなく、ＯＡ機器や机等のレイアウト変更に伴う配線変更作業時に、めくり易く作業し易い大きさと形状とすればよい。
【００３９】
つまり、従来の樹脂製支持台１０を除去して本発明に係る樹脂製支持台６を設置することができる。そのために、任意の位置に床暖房付フリーアクセスフロアを設置可能な構成となる。
【００４０】
また、図３（ｂ）に示すように、樹脂製支持台６および１０の四方の側部それぞれに、Ｕ溝状の切欠部６ｂが複数設けられていて、床上に設置するＯＡ機器や電気装置への配線用通路となっており、配線ケーブル等が床上に現れない構成である。
【００４１】
そのために、床暖房の無い状態から新たに床暖房付フリーアクセスフロアに変更する際には、基礎床１１上に設置されている従来の樹脂製支持台１０に替えて少し背の低い樹脂製支持台６を設置し、この上に暖房部材１を配設すればよい。この時に、ＰＴＣ面状遠赤外線発熱体３への通電は、先ず一台目のユニットのリード線３Ｂを前記切欠部６ｂを通して下方に垂下して、前記樹脂製支持台６の脚部６ａにより形成される床下の下部空間内にて配線することで容易に行うことができる。また、その他のユニットへは、前記連結される配線ダクト８を介して連結して配線するようにすればよい。
【００４２】
図４には、床暖房付フリーアクセスフロアとして暖房部材１Ａ、１Ｂ、１Ｃ、１Ｄ、１Ｅ、１Ｆとを配設したところを示している。各暖房部材１への通電は、それぞれの配線ダクトを介して接続することができるので、配線ダクト８Ａと８Ｂと８Ｃとを連接して、それぞれのリード線３Ｂをコネクタ結合して、暖房部材１Ａと１Ｂと１Ｃとを接続配線することができる。また、暖房部材１Ｃへの通電は、前記脚部６ａにより形成される床下の下部空間内にコネクタ３Ｃを配設して、該空間部を利用して配線を行い、給電装置であるコントローラ９に接続すればよい。
【００４３】
同様に、暖房部材１Ｄと１Ｅと１Ｆとをコネクタ結合して、それぞれの発熱体を接続配線すると共に、暖房部材１Ｆへの通電をコネクタ３Ｃを介して前記コントローラ９から行うように構成することができる。
【００４４】
図５に従来のフリーアクセスフロアに床暖房付フリーアクセスフロアが配設される事務所の一例を示しているが、人が位置する部分のみを床暖房付フリーアクセスフロアとしたところを示す平面図である。事務所２０の人が位置する床２１Ａ、２１Ｂ、２１Ｃ、２１Ｄをそれぞれ床暖房付フリーアクセスフロアとし、それぞれのＰＴＣ面状遠赤外線発熱体３をオン・オフする制御装置としてコントローラ９を配設した例である。
【００４５】
前記コントローラ９は複数のＰＴＣ面状遠赤外線発熱体３を通電するタイミングと時間をそれぞれ設定することができ、消費電力を低く押えるよう構成されている。
【００４６】
ＰＴＣ面状遠赤外線発熱体３は自己温度制御性能を備えており、発熱温度を自動的にコントロールしている。そのために、温度センサやサーモスタット等が不要となり余分な電装装置がないので、設置する施工工事が簡単になる。また、従来のニクロム線床暖房装置と比較して１／３程度のランニングコストとなることが知られている。
【００４７】
本発明に係る床暖房付フリーアクセスフロアは暖房部材をユニット化した構成であるので、従来のフリーアクセスフロア部分と簡単に交換して設置することができる。そのために、事務所内の机やＯＡ機器等の配置や大きさの変更等に対応して、その床暖房付フリーアクセスフロアのレイアウトを簡単に変更することができる。
【００４８】
また、それぞれのユニットに設けた配線ダクトを介して、それぞれの発熱体を連接配線することができるので、給電線を一本配設しておくだけで、設置した床暖房付フリーアクセスフロア部の床材を一々めくる必要もなく、タイルカーペットと金属製保護ケーシングを剥がすだけで、上部から容易に配線施工を行うことができる。
【００４９】
要するに本発明に係る床暖房付フリーアクセスフロアは、配線がし易く、箱型の暖房部材として一体的に構成しているので、設置の施工工事と設置後の配線工事が容易であると共に安全性に優れているという特徴がある。
【図面の簡単な説明】
【００５０】
【図１】本発明に係る床暖房付フリーアクセスフロアの断面図である。
【図２】面状発熱体の一例を示す平面図である。
【図３】（ａ）には従来のフリーアクセスフロアと本発明に係る床暖房付フリーアクセスフロアとを組み合わせた際の断面図を示し、（ｂ）には樹脂製支持台の平面図を示している。
【図４】複数の床暖房付フリーアクセスフロアを連接配線したところを示す平面図である。
【図５】本発明に係る床暖房付フリーアクセスフロアが配設される事務所の一例を示す平面図である。
【符号の説明】
【００５１】
１  暖房部材
２  断熱材
２Ａ  切欠部
３  ＰＴＣ面状遠赤外線発熱体（面状発熱体）
３Ａ  端子部
３Ａａ  端子カバー
３Ｂ  リード線
４  絶縁シート
５  金属製保護ケーシング
６  樹脂製支持台
６ａ  脚部
６ｂ  （Ｕ溝状）切欠部
７  タイルカーペット
８  配線ダクト
８ａ  切欠
Ｈ１  従来の樹脂製支持台の高さ
Ｈ２  樹脂製支持台の高さ
Ｈ３  暖房部材の高さ
【図１】
2005082999.tif 000003
【図２】
2005082999.tif 000004
【図３】
2005082999.tif 000005
【図４】
2005082999.tif 000006
【図５】
2005082999.tif 000007